(57)【要約】【課題】  個体を識別するユニークな情報が第三者に容易に流出してしまうことなく、また認証機器等を別途必要とすることなく個体識別が可能な個体識別体を提供することである。【解決手段】  個人や個体を特定するＩＤ情報を用いて固体識別を行う個体識別装置において、外部に情報の表示が可能な情報表示部を有し、前記情報表示部に、前記個人や個体についてのプライベートな情報を含まない、少なくとも１つ以上のユニークな番号や記号を表示することを特徴とする。【選択図】  図１
2005301929.tif 000002
【特許請求の範囲】
【請求項１】
個人や個体を特定するＩＤ情報を用いて固体識別を行う個体識別装置において、外部に情報の表示が可能な情報表示部を有し、前記情報表示部に、前記個人や個体についてのプライベートな情報を含まない、少なくとも１つ以上のユニークな番号や記号を表示することを特徴とする個体識別体。
【請求項２】
前記個人や個体についてのプライベートな情報を記憶する情報記録部をさらに有することを特徴とする請求項１に記載の個体識別体。
【請求項３】
前記情報記録部が、前記個人や個体についてのプライベートな情報を外部に無線送信可能であることを特徴とする請求項２に記載の個別識別体。
【請求項４】
前記個人や個体についてのプライベートな情報を含まない、少なくとも１つ以上のユニークな番号や記号が、前記情報表示部に、外部から参照可能に印刷されていることを特徴とする請求項１ないし３のうちのいずれか１項に記載の個別識別体。
【請求項５】
前記個人や個体についてのプライベートな情報を含まない、少なくとも１つ以上のユニークな番号や記号が、所定の規則性を持つことを特徴とする請求項１ないし４のうちのいずれか１項に記載の個別識別体。
【請求項６】
請求項１ないし５のうちのいずれか１項に記載の個別識別体によって、該個人や個体を識別することを特徴とする固体識別方法。
【発明の詳細な説明】
【技術分野】
【０００１】
本発明は個体識別体に関し、詳しくは、個人や物流品などのその個体についてのユニークな証明となる個体識別体に関する。
【背景技術】
【０００２】
個体識別体の例としては、保険証、運転免許証、社員証などの個人の身分証明といった個人情報を示すものや、物流における輸送品に貼付する伝票、そのほか梱包品に貼付する伝票などの個体情報を示すものが挙げられる。
【０００３】
図５は、従来の個体識別体の一例としての社員証を示す図である。
【０００４】
図５において、たとえば社員証である個体識別体７には、その表面に氏名や社員番号、顔写真などの個人を特定する情報が印刷等によって記載されていた。
【０００５】
このため、その社員証７を胸につけたり首から下げているときに第三者から悪意ある目視を受けたり、また紛失や盗難によって、個人情報が流出してしまうおそれがあった。
【０００６】
そこで、特許文献１に記載のＩＣカードにおいては、ＳＩＭ（Ｓｕｂｓｃｒｉｂｅｒ  Ｉｄｅｎｔｉｔｙ  Ｍｏｄｕｌｅ）カードと呼ばれる認証カードにおいて、可視光領域で目視可能な印刷をする部分と、赤外領域では目視可能だが可視光領域では目視不可能な印刷をする部分とを設け、可視光領域で目視不可能な印刷によって個人情報の保護をしようとしている。
【０００７】
【特許文献１】特開２００３−９１７１３号公報
【発明の開示】
【発明が解決しようとする課題】
【０００８】
しかしながら、上述の特許文献１に記載の発明では、個体識別体の有するユニークな情報を、可視光領域では目視不可能なように印刷するものであるため、それを認識するのには赤外領域での目視を可能とするための認証機器等を別途必要とし、個体識別が大掛かりになってしまうという問題があった。
【０００９】
本発明は上記の点にかんがみてなされたもので、個体を識別するユニークな情報が第三者に容易に流出してしまうことなく、また認証機器等を別途必要とすることなく個体識別が可能な個体識別体を提供することを目的とする。
【課題を解決するための手段】
【００１０】
本発明は上記の課題を解決するために、個人や個体を特定するＩＤ情報を用いて固体識別を行う個体識別装置において、外部に情報の表示が可能な情報表示部を有し、前記情報表示部に、前記個人や個体についてのプライベートな情報を含まない、少なくとも１つ以上のユニークな番号や記号を表示することを特徴とする。
【００１１】
また本発明は請求項１に記載の発明において、前記個人や個体についてのプライベートな情報を記憶する情報記録部をさらに有することを特徴とする。
【００１２】
また本発明は請求項２に記載の発明において、前記情報記録部が、前記個人や個体についてのプライベートな情報を外部に無線送信可能であることを特徴とする。
【００１３】
また本発明は請求項１ないし３のうちのいずれか１項に記載の発明において、前記個人や個体についてのプライベートな情報を含まない、少なくとも１つ以上のユニークな番号や記号が、前記情報表示部に、外部から参照可能に印刷されていることを特徴とする。
【００１４】
また本発明は請求項１ないし４のうちのいずれか１項に記載の発明において、前記個人や個体についてのプライベートな情報を含まない、少なくとも１つ以上のユニークな番号や記号が、所定の規則性を持つことを特徴とする。
【００１５】
また本発明は請求項１ないし５のうちのいずれか１項に記載の個別識別体によって、該個人や個体を識別することを特徴とする。
【００１６】
すなわち本発明は、個人や個体を特定するＩＤ情報を用いて固体識別を行う個体識別装置、固体識別方法において、情報表示部２に個人情報等のプライベートな情報を含まない、少なくとも１つ以上のユニークな番号が記載されている個体識別体１により、（１）セキュリティカードや物流伝票等に用いる場合に個人情報の流出や、流出した情報からのソーシャルハッキング等を防ぐこと、（２）１つ以上のユニークな番号や記号に、ある規則性を持たせることにより、簡易認証を行えることを特徴としている。
【発明の効果】
【００１７】
本発明によれば、個体を識別するユニークな情報が第三者に容易に流出してしまうことなく、また認証機器等を別途必要とすることなく個体識別が可能な個体識別体を提供することができる。
【００１８】
すなわち本発明によれば、第１のユニークな情報１４と１対１に関連付けされている第２のユニークな情報１３が表示されている情報表示部２で、個体を識別する第１のユニークな情報１４を表示しないことにより、個体識別体１を紛失した時や盗難にあった場合に個人情報や、個体を特定する直接的な番号が流出することがない。
【００１９】
また本発明によれば、第２のユニークな情報１３が、認証機器を用いなくても人間が情報を識別できる数字や文字列、特徴的な図形のようなもので構成されるため、入退場者や簡易セキュリティチェックを人間が目視で行うことができる。
【００２０】
また本発明によれば、情報表示部２に個人情報や個体を特定できる社員番号や製造番号のようなユニークな情報ではないグループ名１２を記載することで、例えばグループ名１２が問い合わせ先情報であれば、紛失時の問い合わせ先等が分かるようになっている。
【発明を実施するための最良の形態】
【００２１】
本発明では、個人や個体を特定するＩＤ情報を用いて固体識別を行う個体識別装置、固体識別方法において、情報表示部２に個人情報等のプライベートな情報を含まない、少なくとも１つ以上のユニークな番号が記載されている個体識別体１により、（１）セキュリティカード等に用いる場合に個人情報の流出や、流出した情報からのソーシャルハッキング等を防ぐこと、（２）１つ以上のユニークな番号にある規則性を持たせることにより、簡易認証を行えることを特徴としている。
【００２２】
以下、図面を参照して本発明の実施の形態について説明する。
【００２３】
図１は、本発明による個体識別体の第１の実施の形態の構成を示す概略図である。
【００２４】
図１においては、一例として、ＲＦ  ＩＤタグを用いた非接触ＩＤカードの個体識別体を用いて説明する。
【００２５】
固体識別体１は、少なくとも１つの個体を識別する第１のユニークな情報１４が記録された情報記録部３と、情報記録部３上には、第１のユニークな情報１４と１対１に関連付けされている第２のユニークな情報１３が表示されている情報表示部２と、を有する。
【００２６】
情報表示部２は、紙やプラスチック等に第２のユニークな情報１３を印刷したものでもよいし、ＬＥＤ等を用いて第２のユニークな情報１３を表示するものであってもよい。
【００２７】
また図３に後述するように、本実施の形態においては、情報記録部３はＲＦ  ＩＤタグを用いた非接触ＩＤカードであり、後述のＩＣ５に第１のユニークな情報１４がディジタルデータとして記憶される。
【００２８】
図２は、図１に示した情報表示部２と情報記録部３との関係を説明する図である。
【００２９】
図２に示すように、本実施の形態では、個体識別体１は、情報表示部２と、情報表示部２と同一形状である情報記録部３とを貼り合わせて構成されている。
【００３０】
本実施の形態において、第１のユニークな情報１４は、任意の情報でよく、使われる情報記録の方式や、暗号化レベルによっては日付、社員番号や製造番号などの個体情報でもよい。
【００３１】
また第２のユニークな情報１３は、個人情報や個体を目視しただけで即時特定できるような社員番号や製造番号のような直接的な番号ではなく、別の管理体系の番号や、記号化、暗号化されている。
【００３２】
これは少なくとも１つは、認証機器を用いなくても人間が情報を識別できる数字や文字列、特徴的な図形のようなもので構成されている。また例えば桁数や、特定位置の記号が統一されているなどの法則性があればさらによい。
【００３３】
また情報表示部２には個人情報や個体を特定できるような社員番号や製造番号のようなユニークな情報でないグループ名１２が表示されている。
【００３４】
図３は、図１に示した情報記録部３の例としてのＲＦ  ＩＤカードの構成を示す図である。
【００３５】
この図３を参照して、情報記録部３の一例としてＲＦ  ＩＤカードを用いた構成を説明する。
【００３６】
図３に示すように情報記録部３は、その動作電力や情報、命令を受け取る無線アンテナ４と、その動作電力にて動作し、情報、命令を解釈し、無線アンテナ４によって、予め記憶してある第１のユニークな情報１４を送信するＩＣ５とから構成される。
【００３７】
図４は、図１に示した本実施の形態の個体識別体１を利用する環境を説明する図である。
【００３８】
図４において、６は個体識別体１の情報を読み取りできる情報識別装置である。
【００３９】
従来の個体識別体７は、その表面に氏名や社員番号、顔写真などの個人を特定する情報が印刷等によって記載されており、その情報が個体識別体７が有するすべての情報であった。
【００４０】
これに対して本実施の形態の個体識別体１では、表示された第２のユニークな情報１３のほかに、表示されない第１のユニークな情報１４を有している。
【００４１】
図４において、たとえば特定エリアへの入退場時には、本実施の形態の情報識別体１を、特定エリアの入り口に設けられた情報識別装置６にかざすことで、情報識別装置６は、情報識別体１の中の情報記録部３に記録されている少なくとも第１のユニークな情報１４を読み取り、入退場可能かどうかの判定に用いることができる。
【００４２】
また他の特定エリアの入り口にはたとえば警備員が入場者の監視をしているような場合にも、本実施の形態の個体識別体１の情報表示部２には警備員が見られるように第２のユニークな情報１３が表示されており、第２のユニークな情報１３にある法則性により、警備員による目視でも入退場が可能か確認することができる。
【００４３】
またセキュリティレベルに応じて、従来の社員証（たとえば個体識別体７）を組み合わせることにより、２重、３重のチェックを行ってもよい。
【００４４】
本発明の第２の実施の形態として、個体識別体は、上述の社員証のような人の個人識別だけでなく、荷札に用いることによって、運搬しているものが第三者には確認できないようにすることもできる。
【００４５】
また、第１の実施の形態では、情報記録部３としてＲＦ  ＩＤを用いた非接触近接無線通信による情報通信で第１のユニークな情報１４を読み出したが、情報記録部３に記録された第１のユニークな情報１４が複数集まった場合に解読されにくい情報記録形式、例えば暗号化レベルが強度であれば、磁気カードによる磁気記録でも、任意の情報記録装置でよい。
【００４６】
また磁気カードのような場合であれば、情報表示部２と情報記録部３とは同一形状である必要はなく、磁気部を露出させるような形状でもよい。
【００４７】
また２次元バーコードのようなものであれば、情報表示部２は透明な部材で、同一形状、またはバーコード部分を除く部分で構成してもよい。
【００４８】
本発明の利用分野は、個体を識別するための分野で、物流、情報セキュリティ等色々考えられる。
【図面の簡単な説明】
【００４９】
【図１】本発明による個体識別体の第１の実施の形態の構成を示す概略図である。
【図２】図１に示した情報表示部２と情報記録部３との関係を説明する図である。
【図３】図１に示した情報記録部３の例としてのＲＦ  ＩＤカードの構成を示す図である。
【図４】図１に示した本実施の形態の個体識別体１を利用する環境を説明する図である。
【図５】従来の個体識別体の一例としての社員証を示す図である。
【符号の説明】
【００５０】
１  個別識別体
２  情報表示部
３  情報記録部
４  無線アンテナ
５  ＩＣ
６  情報識別装置
７  個体識別体
【図１】
2005301929.tif 000003
【図２】
2005301929.tif 000004
【図３】
2005301929.tif 000005
【図４】
2005301929.tif 000006
【図５】
2005301929.tif 000007